(57)【要約】【課題】大人にとって操作しやすく、子供にとっては解除し難い安全機構を備えた着火器を提供すること。【解決手段】炎を噴出するノズル部２と、燃料を導入する燃料導入部３ａと、導入された燃料を着火する着火部７と、を有し、着火部は、着火器の本体の一側に配置される着火操作部５が着火位置まで移動することによって着火する構成となっており、着火操作部の着火位置への移動を規制する規制部１５ｂ及び許可するための許可部１５ｃを有する移動規制部１５が前記着火操作部６に対して配置され、移動規制部は、移動することによって、規制部又は許可部を着火操作部の移動方向に対応して配置可能な構成となっており、移動規制部の移動を操作する移動規制部操作部は、着火器の本体の一側の反対方向の本体に配置されている着火器１。【選択図】図８
2010025526.tif 000002
【特許請求の範囲】
【請求項１】
炎を噴出するノズル部と、
燃料を導入する燃料導入部と、
導入された燃料を着火する着火部と、を有する着火器であって、
前記着火部は、前記着火器の本体の一側に配置される着火操作部が着火位置まで移動することによって着火する構成となっており、
前記着火操作部の着火位置への移動を規制する規制部及び許可するための許可部を有する移動規制部が前記着火操作部に対して配置され、
前記移動規制部は、移動することによって、前記規制部又は前記許可部を前記着火操作部の移動方向に対応して配置可能な構成となっており、
前記移動規制部の移動を操作する移動規制部操作部は、前記着火器の本体の一側の反対方向の本体に配置されていることを特徴とする着火器。
【請求項２】
前記移動規制部の前記許可部及び前記規制部は、前記移動規制部の移動方向に対応して配置されると共に、前記許可部は、前記規制部に挟まれるように配置され、前記許可部と前記規制部との境界部には、前記許可部と前記規制部との間における前記着火操作部の移動を規制する規制部側ストッパー部が形成されていることを特徴とする請求項１に記載の着火器。
【請求項３】
前記移動規制部は、前記着火操作部が前記許可部を介して着火位置まで移動した際、前記着火操作部がその着火位置に留めるための維持部を有し、
前記維持部は、前記移動規制部の前記移動方向に沿って、前記許可部に隣接又は近接して形成されていることを特徴とする請求項１又は請求項２に記載の着火器。
【請求項４】
前記着火操作部が前記維持部を押圧する方向に、前記着火操作部に付勢力を与える着火操作付勢部を備え、
前記許可部と前記維持部との境界部には、前記許可部と前記維持部との間における前記着火操作部の移動を規制する維持部側ストッパー部が形成されていることを特徴とする請求項３に記載の着火器。
【請求項５】
前記着火操作部の着火位置へ近接する移動によって、燃料が前記着火部に導入され、前記着火操作部の着火位置から離間する移動によって、燃料の前記着火部への導入が阻止される構成となっており、
前記移動規制部は、移動規制付勢部を有し、前記移動規制部が、前記維持部から前記許可部に向う方向に沿って移動するように付勢力が働く構成となっており、
前記許可部は、前記着火操作部が、前記移動規制部からの離間位置から前記着火位置まで移動をすることを許可する開口部であり、
前記維持部側ストッパー部が、前記離間位置から前記着火位置側に向かう方向に突出する突起部であることを特徴とする請求項１乃至請求項４のいずれかに記載の着火器。
【発明の詳細な説明】
【技術分野】
【０００１】
本発明は、ノズルから炎を噴出させる着火器、特に、安全を確保するための安全機構を備えた着火器に関するものである。
【背景技術】
【０００２】
従来より、着火器、例えばトーチバーナーは、ガスを収容しているガスカセットに装着される。このような、トーチバーナーは、内部にガスカセット内のガスを取り込む構成となっており、その取り込んだガスに対して、圧電材等を使用して火花放電を浴びせ、ガスを着火させ、その炎をノズルから噴出させる構成となっている。
この火花放電は、トーチバーナーに配置されているトリガーといわれる可動片を、使用者が指で操作することで簡単に発生する構成となっている。
このため、使用者は、トーチバーナーをガスカセットに装着し、トーチバーナー内にガスを導入させた状態で、トーチバーナーを握り、その握った手の指でトリガーを操作するだけで極めて簡単に着火させることができため、とても使い勝手の良い着火器となっていた。
【０００３】
しかし、このようなトーチバーナーを大人が使用する場合は、使い易くて良いが、子供が使用する場合は、簡単にノズルから炎が噴出するため危険となるおそれがある。
そこで、従来より、子供が簡単にトリガーを操作できないような安全装置をトーチバーナー等に配置する提案がなされている（例えば、引用文献１）。
【特許文献１】アメリカ合衆国特許第６８４０７５９号（図３等）
【発明の開示】
【発明が解決しようとする課題】
【０００４】
しかし、実際は、子供は、このような安全装置を、簡単に解除してしまうため、子供では、解除し難い安全装置が求められていた。勿論、安全装置の構造を異常に複雑にすれば、子供にとって解除し難い安全装置となるが、これでは、大人にとっても解除し難くなり、トーチバーナーの使い勝手が悪くなるという問題がある。
そこで、大人にとっての使い勝手の良さを維持しつつ、子供にとって解除し難い安全装置の開発が問題となっていた。
【０００５】
そこで、本発明は、大人にとって操作しやすく、子供にとっては解除し難い安全機構を備えた着火器を提供することを目的とする。
【課題を解決するための手段】
【０００６】
前記課題は、本発明によれば、炎を噴出するノズル部と、燃料を導入する燃料導入部と、導入された燃料を着火する着火部と、を有する着火器であって、前記着火部は、前記着火器の本体の一側に配置される着火操作部が着火位置まで移動することによって着火する構成となっており、前記着火操作部の着火位置への移動を規制する規制部及び許可するための許可部を有する移動規制部が前記着火操作部に対して配置され、前記移動規制部は、移動することによって、前記規制部又は前記許可部を前記着火操作部の移動方向に対応して配置可能な構成となっており、前記移動規制部の移動を操作する移動規制部操作部は、前記着火器の本体の一側の反対方向の本体に配置されていることを特徴とする着火器により達成される。
【０００７】
前記構成によれば、着火操作部の着火位置への移動を規制する規制部及び許可するための許可部を有する移動規制部が着火操作部に対して配置され、移動規制部は、移動することによって、規制部又は許可部を前記着火操作部の移動方向に対応して配置可能な構成となっており、移動規制部の移動を操作する移動規制部操作部は、着火器の本体の一側の反対方向の本体に配置されている。
このため、着火器の利用者は、着火操作部を着火位置に移動させるために、移動規制部を移動させ、その許可部を着火操作部に合わせる必要がある。
そして、この移動規制部を移動させるには、移動規制操作部を操作する必要があるという構成になっている。
この移動規制操作部は、着火器の本体のうち、着火操作部が位置する一側と反対側に配置されている。したがって、着火器を操作する利用者は、本体の相互に反対側に配置されている、移動規制操作部と着火操作部を同時に操作する必要が生じる構成となっている。
このような動作は、片手で行うことは困難であるため勢い、利用者は両手で係る動作をする必要が生じる。これは、子供にとって極めて困難な動作を強いることになるため、子供にとって解除し難い安全機構となる。
一方、大人にとっては、両手を使用すれば操作可能であるので、使い勝手の良さは維持されることになる。
【０００８】
好ましくは、前記移動規制部の前記許可部及び前記規制部は、前記移動規制部の移動方向に対応して配置されると共に、前記許可部は、前記規制部に挟まれるように配置され、前記許可部と前記規制部との境界部には、前記許可部と前記規制部との間における前記着火操作部の移動を規制する規制部側ストッパー部が形成されていることを特徴とする着火器である。
【０００９】
前記構成によれば、移動規制部の許可部及び規制部は、移動規制部の移動方向に対応して配置されているので、利用者は、移動規制部を移動することで、着火操作部を移動規制部の許可部又は規制部に選択的に配置させることができ、使い易い構成となっている。
また、前記構成によれば、許可部は、規制部に挟まれるように配置され、許可部と規制部との境界部には、許可部と規制部との間における着火操作部の移動を規制する規制部側ストッパー部が形成されている。このため、着火操作部を規制部に配置した状態で、そのまま移動規制部を移動させても、着火操作部は、規制部側ストッパー部で、その移動を阻止され、許可部に配置されない構成となっている。
したがって、正しく着火操作部の位置を移動規制部の許可部の位置に合わせないと、着火操作部が、着火位置まで移動できないので、子供にとっては、より操作し難い安全機構となっている。
【００１０】
好ましくは、前記移動規制部は、前記着火操作部が前記許可部を介して着火位置まで移動した際、前記着火操作部がその着火位置に留めるための維持部を有し、前記維持部は、前記移動規制部の前記移動方向に沿って、前記許可部に隣接又は近接して形成されていることを特徴とする着火器である。
【００１１】
前記構成によれば、移動規制部は、着火操作部が許可部を介して着火位置まで移動した際、着火操作部がその着火位置に留めるための維持部を有している。このため、利用者は、着火操作部を維持部に配置させれば、着火操作部を操作し続けなくても、着火状態を維持させることができる。
また、維持部は、移動規制部の移動方向に沿って、許可部に隣接又は近接して形成されているので、利用者は、移動規制部の移動によって、着火操作部を許可部から維持部に容易に移動配置することが可能な構成となっている。
【００１２】
好ましくは、前記着火操作部が前記維持部を押圧する方向に、前記着火操作部に付勢力を与える着火操作付勢部を備え、前記許可部と前記維持部との境界部には、前記許可部と前記維持部との間における前記着火操作部の移動を規制する維持部側ストッパー部が形成されていることを特徴とする着火器により達成される。
【００１３】
前記構成によれば、着火操作部が維持部を押圧する方向に、着火操作部に付勢力を与える着火操作付勢部を備えているので、この付勢力により、着火操作部は維持部の領域に確実に維持される。
また、許可部と維持部との境界部には、許可部と維持部との間における着火操作部の移動を規制する維持部側ストッパー部が形成されているので、着火操作部が、誤って維持部から外れるのを確実に防止することができる。
【００１４】
好ましくは、前記着火操作部の着火位置へ近接する移動によって、燃料が前記着火部に導入され、前記着火操作部の着火位置から離間する移動によって、燃料の前記着火部への導入が阻止される構成となっており、前記移動規制部は、移動規制付勢部を有し、前記移動規制部が、前記維持部から前記許可部に向う方向に沿って移動するように付勢力が働く構成となっており、前記許可部は、前記着火操作部が、前記移動規制部からの離間位置から前記着火位置まで移動をすることを許可する開口部であり、前記維持部側ストッパー部が、前記離間位置から前記着火位置側に向かう方向に突出する突起部であることを特徴とする着火器である。
【００１５】
前記構成によれば、着火操作部の着火位置へ近接する移動によって、燃料が着火部に導入され、着火操作部の着火位置から離間する移動によって、燃料の着火部への導入が阻止される構成となっており、移動規制部は、移動規制付勢部を有し、移動規制部が、維持部から許可部に向う方向に沿って移動するように付勢力が働く構成となっており、許可部は、着火操作部が、移動規制部からの離間位置から前記着火位置まで移動をすることを許可する開口部であり、維持部側ストッパー部が、離間位置から着火位置側に向かう方向に突出する突起部である。
このため、着火操作部は、相対的に、維持部から許可部に向かって移動するよう付勢力が加わる構成となっている。
使用者が、着火操作付勢部の付勢力に抗して、着火操作部を離間位置から着火位置側に向かう方向に移動させると、着火操作部が、突起部を乗り越える。そのとき、移動規制部は、移動規制付勢部によって、維持部から許可部に向かう方向に沿って移動し、これにより、着火操作部は、維持部から開口部側へ移動し、開口部を介して非着火位置に移動され、着火部への燃料の導入が阻止され、自動消火される。
したがって、使用者が着火操作部を操作するだけで、着火状態から消火状態に速やかに、容易且つ安全に移行することができる。
【発明の効果】
【００１６】
本発明は、大人にとって操作しやすく、子供にとっては解除し難い安全機構を備えた着火器を提供することができるという利点がある。
【発明を実施するための最良の形態】
【００１７】
以下、この発明の好適な実施の形態を添付図面等を参照しながら、詳細に説明する。
尚、以下に述べる実施の形態は、本発明の好適な具体例であるから、技術的に好ましい種々の限定が付されているが、本発明の範囲は、以下の説明において特に本発明を限定する旨の記載がない限り、これらの態様に限られるものではない。
【００１８】
図１は、本発明の着火器である例えば、トーチバーナー１を示す概略斜視図である。図１に示すように、トーチバーナー１は、炎を噴出するノズル部である例えば、ステンレス等の金属製のノズル２と、トーチバーナー本体３を有している。
トーチバーナー本体３の下方には、図示しない燃料である例えば、ガスを収容したカセットを取り付けるための燃料導入部である例えば、カセット取り付け口３ａが形成されている。
すなわち、トーチバーナー本体３はこのカセット取り付け口３ａにガスを収容したカセットを取り付けることで、そのガスをトーチバーナー本体３内に導入させることができる構成となっている。
また、図１に示すように、トーチバーナー本体３には、カセットからトーチバーナー３内に導入されるガス量を調節するためのガス調節用つまみ４が備わっている。また、トーチバーナー本体３には、トーチバーナー本体３内へのガスの導入を許可すると共に、導入されたガスに着火する着火部を動作させる着火操作部である例えば、トリガー５も有している。
さらに、後述する移動規制部操作部である例えば、セーフティーレバー６も有している。
図２は、図１のトーチバーナー１の概略左側面図であり、図２に示すように、セーフティーレバー６は、横長の楕円形状となっており、利用者が操作し易い形状となっている。
【００１９】
図３は、図１のトーチバーナー１の背面側において、樹脂製の表面カバーを外した状態を示す概略図である。
図３に示すように、トーチバーナー本体３の内部には、その内部にガスが導入される機構本体３ｂが配置されている。また、機構本体３ｂのノズル２側には、着火部本体７ａが配置されている。この着火部本体７ａには、電極が配置され、その間に火花放電が生じ、この火花によりガスが着火され、炎がノズル２から噴出する構成となっている。
また、この着火本体７ａの火花放電は、図３の着火スイッチ７ｂ内の圧電体をたたくことによって発生する。具体的には、図１のトリガー５が、図３の矢印Ａ方向動くことで、スイッチ先端部７ｃを押し、これにより、着火スイッチ７ｂ内の圧電体をたたき、着火部本体７ａに火花放電が生じる構成となっている。
これら着火部本体７ａ、着火スイッチ７ｂ及びスイッチ先端部７ｃ等により着火部７が構成されている。そして、トリガー５がスイッチ先端部７ｃを押し、着火スイッチ７ｂ内の圧電体をたたく位置が、着火位置の一例となっている。
【００２０】
次に、トーチバーナー１のトーチバーナー本体３内におけるガスの流れとその制御機構について説明する。
図４は、図３の機構本体３ｂ内の主な構成を示す概略図であって、図５は、図４の矢印Ｂで示す部分を示す概略拡大図である。
図４及び図５は、ガス調節つまみ４が閉状態で、カセットから導入されたガスがノズル２側に流れない状態を示している。以下、詳細に説明する。
図４に示すように、機構本体３ｂには、トリガー５に当接し、図４の矢印Ａ方向にトリガー５によって押圧される第１のチェックピン８を有している。この第１のチェックピン８の図の右側には、ダイアフラム９が配置され、その右側には、第２のチェックピン１０が配置されている。この第２のチェックピン１０は、図示するように、横向きに配置した略Ｔ字型をしている。
また、この第２のチェックピン１０には、図４及び図５に示すように、オー（Ｏ）リング１１が配置されていると共に、この第２のチェックピン１０の右側にはスプリング１２が配置されている。
【００２１】
このため、図５の矢印Ｃに沿ってカセットからガスがトーチバーナー１内に導入されても、ガスはオーリング１１と第２のチェックピン１０とによって、その通路を閉塞され、ガスはノズル２側に導入されない構成となっている。
【００２２】
一方、図４及び図５に示すように、ガス調節つまみ４には、スピンドル１３が接続され、ガス調節つまみ４の回動によって、スピンドル１３が、図５の矢印Ｄ方向に移動する構成となっている。
すなわち、ガス調節つまみ４を閉方向に回すと、スピンドル１３は図５の左下方向に移動し、ガス通路１４を閉塞する方向に移動する。
したがって、図４及び図５の状態では、カセットからのガスは、完全に遮断された状態となっている。
【００２３】
図６は、図５のガス調節つまみ４を開方向に回した状態を示す概略拡大図である。図６では、スピンドル１３は、ガス調節つまみ４の回転に連動して、図６の矢印Ｄに沿って、図６の右上方向に移動する。このため、図６に示すようにガス通路１４は開放され、ノズル２側と連通されている。
しかし、第２のチェックピン１０とオーリング１１の位置は、図５と同様であるため、カセットのガスはノズル２側に導入されない。
【００２４】
図７は、スピンドル１３が図６と同様の位置で、第１のチェックピン８がトリガー５で押圧された状態を示す概略図である。
図７に示す第１のチェックピン８は、図４のトリガー５で矢印Ａ方向に押圧され、これがため、その右側にあるダイアフラム９を、右側に撓むように変形させている。これにより、第２のチェックピン１０も右側に押され、その押圧力がスプリング１２の付勢力を超えると、第２のチェックピン１０は、矢印Ａ方向に移動する。
すると、第２のチェックピン１０とオーリング１１の間に隙間が生じ、カセットのガスは、矢印Ｃに沿って、ガス通路１４側に導入される。図７の状態では、上述のように、ガス通路１４は、ノズル２側と連通状態にあるため、ガス通路１４に導入されたガスは、そのまま、ノズル２側に導入されることになる。
【００２５】
このように、本実施の形態のトーチバーナー１では、ガスをノズル２側に導入するには、単に、ガス調節つまみ４を開放するだけではなく、トリガー５を操作する必要があるため、安全性に配慮した構成となっている。
また、ノズル２側に導入されるガス量は、ガス調節つまみ４を回し、その開き程度（図７のスピンドルの位置）を変えることで調節する構成となっている。
【００２６】
次に、トーチバーナー１の安全機構について説明する。
図８は、本実施の形態のトーチバーナー１の安全機構の主な構成を示す概略図である。図８には、図４に示すトリガー５と図１等に示すセーフティーレバー６及び、このセーフティーレバー６と連接されている移動規制部である例えば、安全具１５が示されている。
この安全具１５は、図８に示すように、中央部に開口を有する略円盤状を成し、この略円盤状の部分には、中央部の開口と外部とを連通する溝部が形成されている。
また、図８のトリガー５の下端部には、図４にも示されているガイド部５ａが形成されている。このガイド部５ａが、着火操作部の一例となっている。
図９は、図８のセーフティーレバー６、安全具１５及びガイド部５ａを示す概略平面図である。
本実施の形態のトーチバーナー１では、この安全具１５が、図４のトリガー５と機構本体３ｂの中間に配置される。このため、図４のトリガー５は、安全具１５を介して、第１のチェックピン８に当接する構成となっている。
つまり、安全具１５によって、トリガー５が不必要に第１チェックピン８に当接し、押圧することを防ぐことができる構成となっている。
【００２７】
以下、安全具１５の構成について、詳細に説明する。安全具１５には、図８及び図９に示すように、ガイド部５ａの通過を可能にする許可部（開口部）である例えば、溝部１５ｃが形成され、その両側には、ガイド部５ａの通過を阻止する規制部１５ｂが形成されている。
このため、利用者が、図４のトリガー５を矢印Ａ方向に移動させるように操作しても、そのガイド部５ａが溝部１５ｃを通らなければ、図４の第１のチェックピン８を押圧することができない構成となっている。
また、トーチバーナー１の初期設定では、図９に示すように、トリガー５のガイド部５ａが、安全具１５の規制部１５ｂに対応した位置に配置されている。したがって、安全具１５を動かさない状態では、トリガー５は安全具１５に阻止され、第１のチェックピン８を動作させることができない構成となっている。
【００２８】
安全具１５には、図９に示すように、移動規制付勢部である例えば、バネ１５ａが備わっており、このバネ１５ａにより安全具１５は、図９の矢印Ｅ方向に付勢力が加わる構成となっている。
したがって、安全具１５は、利用者がセーフティーレバー６を操作し、バネ１５ａの付勢力に抗して、図９の矢印Ｆの方向に回転させることで、矢印Ｆの方向に回転し、一方、利用者が、セーフティーレバー６を離せば、そのバネ１５ａの付勢力で元の位置に戻る構成となっている。
すなわち、利用者がセーフティーレバー６を図９の矢印Ｆ方向に動かし、ガイド部５ａに対応する位置に溝部１５ｃが配置されることで、初めてガイド部５ａが溝部１５ｂを介して、安全具１５を通過し、図４の第１のチェックピン８に到達することができる構成となっている。
このように、安全具１５は、回転移動することで規制部１５ｂ又は溝部１５ｃをガイド部５ａの移動方向（図９の矢印Ａ方向）に対応して配置可能な構成となっている。
【００２９】
また、図９に示すように、安全具１５の規制部１５ｂ及び溝部１５ｃは、ガイド部５ａの移動方向（図９の矢印方向）に対応して配置され、上述のように、溝部１５ｃは２つの規制部１５ｂ、１５ｂに挟まれるように配置される。
そして、この溝部１５ｃと規制部１５ｂ、１５ｂとの境界部である例えば、規制部１５ｂ、１５ｂの溝部１５ｃ側端部には、それぞれ規制部側ストッパー部である例えば、規制部側ストッパー１５ｄ、１５ｄが突状に形成されている。
【００３０】
また、図８及び図９に示すように、安全具１５の溝部１５ｃを挟んで右側の規制部１５ｂの内周側（中央部側）には、図８及び図９に示すように、維持部１５ｅが形成されている。この維持部１５ｅは、溝部１５ｃを介して中央部側に入り込み、図４の第１のチェックピン８を押圧する着火位置に配置されたガイド部５ａ（すなわち、トリガー５）が、その位置のまま維持するための部分である。
この維持部１５ｅは、安全具１５の移動方向（矢印Ｆ及びＥで示す方向）に沿って溝部１５ｃと隣接して配置されているため、安全具１５の回転により、ガイド部５ａを容易に維持部１５ｅに配置させることができる構成となっている。
【００３１】
また、図３に示すように、第１のチェックピン１６には、チェックピン用バネ１６が配置されている。このチェックピン用バネ１６は、図４に示すように、トリガー５が第１のチェックピン８を押圧する際、トリガー５を図４の矢印Ａの反対方向（チェックピン８から離間する方向）に移動させるよう付勢力が生じるようになっている。
このチェックピン用バネ１６が、着火操作付勢部の一例である。
このため、図９の維持部１５ｅにガイド部５ａが配置された状態では、ガイド部５ａは、このチェックピン用バネ１６で、維持部１５ｅに押しつけられる構成となり、安定的に維持部１５ｅに配置され、着火位置を保持することができる。
【００３２】
また、本実施の形態では、さらに、維持部１５ｅと溝部１５ｃとの境界部である例えば、維持部１５ｅの溝部１５ｃ側には、維持部側ストッパー１５ｆが形成されている。この維持部側ストッパー１５ｆは、ガイド部５ａが、安全具１５からの離間位置から着火位置に向かう方向(中央部へ向かう方向）に沿って突出して形成される突起部の一例となっている。
これにより、ガイド部５ａは、維持部１５ｅから脱落することなく、より確実に維持部１５ｅに押しつけられる構成となっている。
【００３３】
また、維持部１５ｅに押しつけられた状態のガイド部５ａは、利用者がトリガー５を操作して、ガイド部５ａを維持部側ストッパー１５ｆの高さを超えるまで移動させると、安全具１５に加わっているトリガー５の押圧力がなくなる。このため、安全具１５は、バネ１５ａの付勢力により、図９の矢印Ｅ方向に回転を開始する。すると、ガイド部５ａは、相対的にその位置を変え、図９の溝部１５ｃに連接している当接部１５ｇに当接する。すると、ガイド部５ａは、図３のチェックピン用バネ１６の付勢力により、溝部１５ｃに沿って着火位置から外される構成となっている。
【００３４】
また、本実施の形態のトーチバーナー１のトリガー５は、図３及び図４に示すように、図３の矢印Ａ方向に移動することで、第１のチェックピン８と着火部７のスイッチ先端部７ｃを共に押圧する構成となっている。
このため、トリガー５の矢印Ａ方向への移動という単一の動作で、第１のチェックピン８を押し、トーチバーナー１内にガスの導入を行い、同時に、スイッチ先端部７ｃの押圧で着火させることができる構成となっている。
一方、逆にトリガー５が、第１のチェックピン８やスイッチ先端部７ｃから離間されると、図５のスプリング１２の付勢力で第２のチェックピン１０等が元の位置に戻り、トーチバーナー１内へのガスの導入が阻止され、トーチバーナー１の炎の噴射が停止することになる。
【００３５】
したがって、上述のように、ガイド部５ａが、図３のチェックピン用バネ１６の付勢力により、溝部１５ｃに沿って外側に移動されると、トーチバーナー１は、自動的に消火される構成となっている。
【００３６】
トーチバーナー１の安全機構は、以上のような構成となっているが、以下その安全機構の動作を詳細に説明する。
先ず、安全機構を解除して、トーチバーナー１に着火させる動作を説明する。
利用者は、図１に示すようなトーチバーナー１の利用者がガス調節つまみ４を回し、スピンドル１３を図６等に示す開状態とする。その後、図１のセーフティーレバー６を、バネ１５ａの付勢力に抗して、図９の矢印Ｆ方向にスライド移動させる。すると、図９の安全具１５の溝部１５ｃが、トリガー５のガイド部５ａの移動方向（矢印Ａ方向）に対応した位置に配置される。
この状態で、利用者がトリガー５のガイド部５ａを矢印Ａ方向に移動させると、図１０に示すように、ガイド部５ａは、溝部１５ｃを通過し、その後、トリガー５が、図３の第１のチェックピン８及びスイッチ先端部７ｃを押圧し、トーチバーナー１に着火することとなる。図１０は、安全機構を解除した状態を示すトーチバーナー１の要部の概略図である。
このとき、ガイド部５ａは溝部１５ｃに連接して配置されている当接部１５ｇに当接した状態となるため、利用者がセーフティーレバー６から手等を離しても、バネ１５ａの付勢力で安全具１５が、矢印Ｅ方向に回転して、元の位置に戻ることを阻止することができ、利用者にとって使い易い構成となっている。
【００３７】
これに対して、利用者がセーフティーレバー６をスライド移動させない状態で、トリガー５を図４の矢印Ａ方向に移動させた場合は、図１１の状態となる。
図１１は、安全具１５の安全機構が動作している状態を示す概略図である。
図１１に示すように、この場合は、ガイド部５ａは、安全具１５の規制部１５ｂに当接し、その移動が阻止させるため、トリガー５の移動も停止し、図３に示す第１のチェックピン８及びスイッチ先端部７ｃを押圧することがなく、トーチバーナー１が着火すること  がない。
このように、本実施の形態では、利用者が、付勢力が働いている安全具１５の付勢力に抗しながら、安全具１５をスライド移動させ、安全機構が解除されるポイントの位置で、安全具１５の回転を停止させ、この状態で、トリガー５を動作させなければ、安全機構は解除されず、トーチバーナー１を着火させることはできない。
【００３８】
さらに、安全具１５をスライド移動させるセーフティーレバー６とトリガー５は、図１に示すようにトーチバーナー本体３の正反対に配置されている。すなわち、トリガー５の正反対の位置にセーフティーレバー６が配置されている。
このため、このようにトーチバーナー本体３の正反対に配置されるトリガー５と、付勢力の加わっているセーフティーレバー６とを同時に操作し、且つ、セーフティーレバー６は、特定の位置に合わせる必要がある。
したがって、利用者は、これらの操作を片手で行うことは困難であり、両手で操作する必要がある。
これは、子供にとっては極めて困難な動作を強いるので、子供にとって解除し難い安全機構となる。
一方、大人にとっては、両手であれば操作し易いので、使い勝手の良さは維持されることになる。
【００３９】
また、本実施の形態のトーチバーナー１では、図１１の状態で、安全機構を解除しようとし、トリガー５を引きながら、セーフティーレバー６をスライド移動させようとしても、ガイド部５ａは、規制部側ストッパー１５ｄによって移動を阻止され、安全機構を解除できない。
このように、本実施の形態では、セーフティーレバー６を操作して、安全具１５を特定の位置に正確に配置しなければならず、一旦、誤った位置に配置した場合は、安全機構を解除できない構成となっているので、安全性が極めて高い機構となっている。
【００４０】
図１２は、安全具１５の安全機構が動作している状態を示す他の概略図である。
図１２は、図１１と同じく、安全具１５の溝部１５ｃの位置を、ガイド部５ａの位置に対応して配置できなかった例であり、図１２は、図１１と異なり、溝部１５ｃの反対側（図１１及び図１２では右側）の規制部１５ｂに、ガイド部５ａが当接した例を示すものである。
この場合も、ガイド部５ａが規制部１５ｂに阻止されて、安全機構が解除されないと共に、トリガー５を引きながらでは、ガイド部５ａが規制部側ストッパー１５ｄに当接して、安全機構を解除できない構成となっている。
【００４１】
図１３は、図１０に示すように、着火位置に配置されるガイド部５ａを、その着火位置の状態で維持させる状態を示す概略図である。
具体的には、図１０の着火位置にガイド部５ａを配置した状態で、利用者がセーフティーレバー６をスライド移動させ、安全具１５を矢印Ｆ方向に移動させる。
すると、ガイド部５ａは、維持部側ストッパー１５ｆを越えて維持部１５ｅに配置される。この状態で、利用者がトリガー５の操作を止め指等を離すと、ガイド部５ａは、図３のチェック用バネ１６の付勢力により、維持部１５ｅに押し付けられる。
また、利用者が、セーフテーレバー６から手等を離して、安全具１５は、図１３の矢印Ｅ方向にバネ１５ａの付勢力で戻ろうとしても、ガイド部５ａは、維持部側ストッパー１５ｆに当接し、その移動が阻止され、トーチバーナー１は、着火位置の状態を維持することができ、利用者にとって使い易いトーチバーナー１となる。
【００４２】
図１４は、トーチバーナー１の自動消火の動作等を示す概略図である。図１４の矢印Ｇは、ガイド部５ａの移動軌跡を示すものである。具体的には、先ず、図１３の維持部１５ｅに、ガイド部５ａが配置されている状態で、利用者が、トーチバーナー１の使用を終了しようとする場合は、利用者は、先ず、トリガー５を矢印Ａ方向に引く、すると、維持部１５ｅに配置されていたガイド部５ａは、安全具１５の中央部側に移動し、やがて、維持部側ストッパー１５ｆを越える位置に達する。すると、安全具１５のバネ１５ａの付勢力により、安全具１５が矢印Ｅ方向に移動し、ガイド部５ａは、溝部１５ｃに連接されている当接部１５ｇに当接する。この状態で、利用者がトリガー５から手等を離すと、ガイド部５ａは、図３のチェックピン用バネ１６の付勢力で、溝部１５ｃに沿って、矢印Ａと反対方向に移動する。これにより、トリガー５は図４の第１のチェックピン８を押圧する位置（着火位置）から外れるため、ノズル２側へのガスの供給が阻害され、自動消火することになる。
なお、ガイド部５ａは、図１４に示すように、安全具１５の矢印Ｅ方向に移動により、規制部１５ｂに配置されることになる。
【００４３】
このように、本実施の形態のトーチバーナー１では、利用者がトーチバーナー１の使用後、トリガー５を、指等で一度引き、その後、離すだけで、速やか且つ安全に自動消火をすることができる構成となっている。
【００４４】
以上のように、本実施の形態のトーチバーナー１では、トーチバーナー本体３の一側に配置され、バネ１５ａで付勢されているセーフティーレバー６を操作し、安全具１５を特定の位置に配置すると共に、それと正反対側に配置されているトリガー５を同時に操作する必要があるため、子供では操作し難く、極めて安全性が高い機構となっている。
本実施の形態に係るトーチバーナー１については、アメリカ合衆国消費者製品安全委員会が定めたバーナー等の安全基準である「１６Ｃ．Ｆ．Ｒ．Ｐａｒｔ１２１０」に基づき「テスト」を実施したところ、その基準を満たすことが判明した。
以下に、そのテスト項目、被験者数、テスト結果等の概要を示す。
テスト結果としては、５分間のテスト時間では、子供１００人中、全ての子供が、本実施の形態に係るトーチバーナーの着火に成功せず、テスト開始後、７分１０秒で初めて１名の子供がトーチバーナーの着火に成功したため、９９パーセントの子供が着火に成功しないという結果となった。
具体的には、以下のように、６個のライターの各々について１６人乃至１８人の子供をサンプルに着火テストを行った。
ライター        子供の人数        着火の成否    
１              １７名              否
２              １８名              否
３              １７名              否
４              １６名              否
５              １６名              成功（１名）
６              １６名              否        
１００名（合計）      １名（成功者）
なお、上記の表のテストに参加した子供の内訳は以下のとおりである。
年齢                    男子      女子      合計    
４２ヶ月乃至４４ヶ月    １９名    １１名    ３０名
４５ヶ月乃至４８ヶ月    ２６名    １４名    ４０名
４９ヶ月乃至５１ヶ月    １９名    １１名    ３０名  
合計              ６４名    ３６名  １００名
このように、本実施の形態にかかるトーチバーナー１は、アメリカ合衆国消費者製品安全委員会が定めたバーナー等の安全基準である「１６Ｃ．Ｆ．Ｒ．Ｐａｒｔ１２１０」に基づく「テスト」でも、９９パーセントの子供が着火操作できないことが明らかとなり、これは、極めて安全性が高いことが証明されたことになる。
また、一方、大人にとっての操作性は維持されているため、大人にとっては使い易いトーチバーナー１ともなっている。
【００４５】
本発明は、上述の各実施の形態に限定されない。また、上記実施形態の各構成は、その一部を省略し、または、任意に組み合わせることができる
【図面の簡単な説明】
【００４６】
【図１】本発明の着火器である例えば、トーチバーナーを示す概略斜視図である。
【図２】図１のトーチバーナーの概略左側面図である。
【図３】図１のトーチバーナーの背面側において、樹脂製の表面カバーを外した状態を示す概略図である。
【図４】図３の機構本体内の主な構成を示す概略図である。
【図５】図４の矢印Ｂで示す部分を示す概略拡大図である。
【図６】図５のガス調節つまみを開方向に回した状態を示す概略拡大図である。
【図７】スピンドルが図６と同様の位置で、第１のチェックピンがトリガーで押圧された状態を示す概略図である。
【図８】本実施の形態のトーチバーナーの安全機構の主な構成を示す概略図である。
【図９】図８のセーフティーレバー、安全具及びガイド部を示す概略平面図である。
【図１０】安全機構を解除した状態を示すトーチバーナーの要部の概略図である。
【図１１】安全具の安全機構が動作している状態を示す概略図である。
【図１２】安全具の安全機構が動作している状態を示す他の概略図である。
【図１３】着火位置に配置されるガイド部を、その着火位置の状態で維持させる状態を示す概略図である。
【図１４】図１のトーチバーナーの自動消火の動作等を示す概略図である。
【符号の説明】
【００４７】
１・・・トーチバーナー、２・・・ノズル、３・・・トーチバーナー本体、３ａ・・・カセット取り付け口、３ｂ・・・機構本体、４・・・ガス調節つまみ、５・・・トリガー、５ａ・・・ガイド部、６・・・セーフティーレバー、７・・・着火部、７ａ・・・着火部本体、７ｂ・・・着火スイッチ、７ｃ・・・スイッチ先端部、８・・・第１のチェックピン、９・・・ダイアフラム、１０・・・第２のチェックピン、１１・・・オー（Ｏ）リング、１２・・・スプリング、１３・・・スピンドル、１４・・・ガス通路、１５・・・安全具、１５ａ・・・バネ、１５ｂ・・・規制部、１５ｃ・・溝部、１５ｄ・・・規制部側ストッパー、１５ｅ・・・維持部、１５ｆ・・・維持部側ストッパー、１５ｇ・・・当接部、１６・・・チェックピン用バネ
【図１】
2010025526.tif 000003
【図２】
2010025526.tif 000004
【図３】
2010025526.tif 000005
【図４】
2010025526.tif 000006
【図５】
2010025526.tif 000007
【図６】
2010025526.tif 000008
【図７】
2010025526.tif 000009
【図８】
2010025526.tif 000010
【図９】
2010025526.tif 000011
【図１０】
2010025526.tif 000012
【図１１】
2010025526.tif 000013
【図１２】
2010025526.tif 000014
【図１３】
2010025526.tif 000015
【図１４】
2010025526.tif 000016